(57)【特許請求の範囲】
【請求項１】
ハウジングと、
前記ハウジングに形成され、後端部が前記ハウジングの後面から後方へ突出する筒状のシールタワー部となっている第１端子収容室と、
前記第１端子収容室に挿入された第１端子金具と、
前記第１端子金具に接続されて、前記ハウジングの後方へ導出された第１電線と、
前記第１電線に外嵌され、前記第１端子収容室の内周面に液密状に密着する個別ゴム栓と、
前記ハウジングに形成された複数の第２端子収容室と、
前記複数の第２端子収容室に挿入された複数の第２端子金具と、
前記複数の第２端子金具に接続されて、前記ハウジングの後面から外部へ導出された複数の第２電線と、
前記ハウジングに対しその後面の全領域を覆うように取り付けられた一括ゴム栓と、
前記一括ゴム栓に形成され、前記複数の第２電線を液密状に貫通させる複数のシール孔と、
前記一括ゴム栓に形成され、前記シールタワー部を貫通させる貫通孔とを備えたコネクタであって、
前記ハウジングの後面から後方へ突出して前記一括ゴム栓を貫通し、突出端部に係止部が形成されたロックタワー部と、
前記一括ゴム栓を後方から覆うように配されたリヤホルダと、
前記リヤホルダに前後に貫通するように形成され、前記係止部を収容する逃がし凹部と、
前記リヤホルダに形成され、前記逃がし凹部の内壁面間を橋渡しした形態であって、前記係止部と係止することで前記リヤホルダを前記ハウジングに対し組付け状態にロックする弾性撓み可能な受け部と、
前記一括ゴム栓の外周に形成され、相手側コネクタの内周に液密状に密着可能なシール部とを備えていることを特徴とするコネクタ。
【請求項２】
前記一括ゴム栓に形成されて、前記ロックタワー部を液密状に貫通させる連通孔を備えていることを特徴とする請求項１記載のコネクタ。
【請求項３】
前記リヤホルダに形成され、前記シールタワー部を嵌合させる位置決め孔を備えていることを特徴とする請求項１又は請求項２記載のコネクタ。
【発明の詳細な説明】
【技術分野】
【０００１】
本発明は、コネクタに関するものである。
【背景技術】
【０００２】
特許文献１には、ハウジング内に複数の端子金具を収容し、各端子金具に接続した電線をハウジングの後面から導出させたコネクタにおいて、各電線に個別に外嵌した個別ゴム栓を、端子収容室の内周面に密着させてシールする個別シール構造と、一括ゴム栓に形成した複数のシール孔に電線を挿通させてシールする一括シール構造とを併設する技術が開示されている。ハウジングの後面からは、個別シール用の端子収容室の後端部がシールタワー部として後方へ突出しており、このシールタワー部は一括ゴム栓に形成した貫通孔に貫通されている。これにより、ハウジングの後面のうち個別シール領域と一括シール領域が、１つの一括ゴム栓で覆われている。
【０００３】
このコネクタは、一括ゴム栓をハウジングに取り付けた状態に保持する手段として、ハウジングの後面から周壁部を突出させ、周壁部内の収容空間に一括ゴム栓を収容している。さらに、一括ゴム栓の後面を覆うようにリヤホルダを設け、このリヤホルダを収容空間に収容した状態で組み付けている。また、特許文献１のコネクタは、雄形の相手側コネクタのフード部内に嵌合されるようになっており、相手側コネクタとの嵌合部分をシールするためのシール手段として、ハウジングの外周にリング状のシール手段が必要である。
【先行技術文献】
【特許文献】
【０００４】
【特許文献１】特開２０１３−１１４８４４号公報
【発明の概要】
【発明が解決しようとする課題】
【０００５】
特許文献１のコネクタにおける周壁部は、一括ゴム栓を収容する機能と、リヤホルダを支持するための機能を有するものであるから、必須の構造である。そして、周壁部は一括ゴム栓を包囲しているため、一括ゴム栓の外周部を相手側コネクタとのシール手段として機能させることは構造上できない。このように、特許文献１のコネクタは、相手側コネクタとのシール手段を、一括ゴム栓とは別に設ける必要があるため、部品点数が多くなるという課題がある。
本発明は上記のような事情に基づいて完成されたものであって、部品点数を削減することを目的とする。
【課題を解決するための手段】
【０００６】
本発明のコネクタは、
ハウジングと、
前記ハウジングに形成され、後端部が前記ハウジングの後面から後方へ突出する筒状のシールタワー部となっている第１端子収容室と、
前記第１端子収容室に挿入された第１端子金具と、
前記第１端子金具に接続されて、前記ハウジングの後方へ導出された第１電線と、
前記第１電線に外嵌され、前記第１端子収容室の内周面に液密状に密着する個別ゴム栓と、
前記ハウジングに形成された複数の第２端子収容室と、
前記複数の第２端子収容室に挿入された複数の第２端子金具と、
前記複数の第２端子金具に接続されて、前記ハウジングの後面から外部へ導出された複数の第２電線と、
前記ハウジングに対しその後面の全領域を覆うように取り付けられた一括ゴム栓と、
前記一括ゴム栓に形成され、前記複数の第２電線を液密状に貫通させる複数のシール孔と、
前記一括ゴム栓に形成され、前記シールタワー部を貫通させる貫通孔とを備えたコネクタであって、
前記ハウジングの後面から後方へ突出して前記一括ゴム栓を貫通し、突出端部に係止部が形成されたロックタワー部と、
前記一括ゴム栓を後方から覆うように配されたリヤホルダと、
前記リヤホルダに前後に貫通するように形成され、前記係止部を収容する逃がし凹部と、
前記リヤホルダに形成され、前記逃がし凹部の内壁面間を橋渡しした形態であって、前記係止部と係止することで前記リヤホルダを前記ハウジングに対し組付け状態にロックする弾性撓み可能な受け部と、
前記一括ゴム栓の外周に形成され、相手側コネクタの内周に液密状に密着可能なシール部とを備えているところに特徴を有する。
【発明の効果】
【０００７】
この構成によれば、一括ゴム栓を貫通するロックタワー部の係止部とリヤホルダの受け部との係止作用により、リヤホルダとハウジングが組付け状態にロックされる。これにより、一括ゴム栓の外周を包囲することなく、一括ゴム栓をハウジングに取り付けた状態に保持できるので、一括ゴム栓の外周に、相手側コネクタとの嵌合部分をシールする手段としてのシール部を設けることが実現できた。したがって、本発明によれば、部品点数を削減できる。
【図面の簡単な説明】
【０００８】
【図１】実施例１のコネクタの正面図
【図２】コネクタの背面図
【図３】図２のＸ−Ｘ線断面図
【図４】図２のＹ−Ｙ線断面図
【図５】図２のＺ−Ｚ線断面図
【図６】リヤホルダの正面図
【図７】リヤホルダの背面図
【図８】ハウジングの正面図
【図９】ハウジングの背面図
【図１０】ハウジングの平面図
【図１１】一括ゴム栓の背面図
【発明を実施するための形態】
【０００９】
（１）本発明のコネクタは、
前記一括ゴム栓に形成されて、前記ロックタワー部を液密状に貫通させる連通孔を備えていてもよい。
この構成によれば、ロックタワー部は、一括ゴム栓を位置決めする機能を発揮する。したがって、ロックタワー部とは別の専用の位置決め手段を設ける場合に比べると、ハウジングの形状を簡素化することができる。また、連通孔は、一括ゴム栓の後方からロックタワー部の貫通経路を通過してハウジングの後面に至る浸水経路をシールする機能を発揮する。
【００１０】
（２）本発明のコネクタは、
前記リヤホルダに形成され、前記シールタワー部を嵌合させる位置決め孔を備えていてもよい。
この構成によれば、リヤホルダの位置決め孔をシールタワー部に嵌合すると、リヤホルダがハウジングに対し位置決めされる。シールタワー部は、リヤホルダを位置決めする機能を兼ね備えているので、シールタワー部とは別に専用の位置決め手段を設ける場合に比べると、ハウジングの形状を簡素化できる。
【００１１】
＜実施例１＞
以下、本発明を具体化した実施例１を図１〜図１１を参照して説明する。本実施例の雌側コネクタＦ（請求項に記載のコネクタ）は、内部に１室の第１端子収容室１１と２３室の第２端子収容室１７が形成されたハウジング１０と、第１端子金具１３と、第１電線１５と、個別ゴム栓１６と、第２端子金具１８と、第２電線２０と、一括ゴム栓３０と、リヤホルダ４０とを備えて構成されている。
【００１２】
図９に示すように、第１端子収容室１１は、ハウジング１０の後面１０Ｒにおける左端部に開口するように配置されている。図３，５に示すように、第１端子収容室１１の後端部は、ハウジング１０の後面１０Ｒから後方へ突出する円筒状のシールタワー部１２となっている。図３に示すように、第１端子収容室１１内には、ハウジング１０の後方から第１端子金具１３が挿入されている。第１端子金具１３の後端の第１圧着部１４には、第１電線１５の前端部が圧着により接続されている。第１圧着部１４には、円筒形をなす個別ゴム栓１６が、第１電線１５に外嵌した状態で固着されている。
【００１３】
第１端子金具１３を第１端子収容室１１に正規挿入した状態では、個別ゴム栓１６の内周が第１電線１５の外周に液密状に密着するとともに、個別ゴム栓１６の外周がシールタワー部１２（第１端子収容室１１）の内周面に液密状に密着する。この個別ゴム栓１６は、個別シール構造を構成し、ハウジング１０の後方から第１端子収容室１１内に液体が浸入するのを規制する。
【００１４】
図３，５に示すように、第２端子収容室１７の後端は、ハウジング１０の後面１０Ｒに開口している。したがって、第１端子収容室１１（シールタワー部１２）の後端は第２端子収容室１７の後端よりも後方の位置で開口している。ハウジング１０の後面１０Ｒにおける第２端子収容室１７の開口面積は第１端子収容室１１の開口面積よりも小さい。図２，９に示すように、２３室の第２端子収容室１７は、上下３段に分かれて配置されている。上段の１０室の第２端子収容室１７は、第１端子収容室１１よりも上方に配置されている。左端と左端から２番目の２室の第２端子収容室１７は、第１端子収容室１１の真上に位置している。中断の５室の第２端子収容室１７と下段の８室の第２端子収容室１７は、上下方向において第１端子収容室１１とラップする高さに配置されている。中段の全ての第２端子収容室１７と下段の全ての第２端子収容室１７は、第１端子収容室１１よりも右方に位置している。
【００１５】
図３，４に示すように、各第２端子収容室１７内には、夫々、ハウジング１０の後方から第２端子金具１８が挿入されている。各第２端子金具１８の後端の第２圧着部１９には、夫々、第２電線２０の前端部が圧着により接続されている。第２端子収容室１７に挿入される２３個の第２端子金具１８は、寸法及び形状が同一の部品である。第２端子金具１８は、第１端子金具１３よりも寸法が小さい。
【００１６】
ハウジング１０には、その後面１０Ｒから後方へ片持ち状に突出した形態の３つのロックタワー部２１が形成されている。図２，９に示すように、３つのロックタワー部２１の形成位置は、中段の第２端子収容室１７と同じ高さである。右側のロックタワー部２１と中央のロックタワー部２１との間には１つの第２端子収容室１７が位置し、中央のロックタワー部２１と左側のロックタワー部２１との間にも１つの第２端子収容室１７が位置し、左側のロックタワー部２１と第１端子収容室１１との間にも１つの第２端子収容室１７が位置する。
【００１７】
ロックタワー部２１の断面形状は、非円形、つまり略方形である。ロックタワー部２１のうちハウジング１０の後面１０Ｒに連なる前端側領域は、基部２２となっている。ロックタワー部２１の後端側領域は、係止部２３となっている。右側のロックタワー部２１の係止部２３と中央のロックタワー部２１の係止部２３には、その右側面を凹ませた形態の係止凹部２４が形成されている。左側のロックタワー部２１の係止部２３には、その左側面を凹ませた形態の係止凹部２４が形成されている。
【００１８】
図３〜５に示すように、ハウジング１０の後端部には一括ゴム栓３０が取付けられている。一括ゴム栓３０は、ハウジング１０の後面１０Ｒの全領域を覆うように配置されている。したがって、ハウジング１０の後面１０Ｒにおける一括ゴム栓３０の対応領域は、１室の第１端子収容室１１と２３室の第２端子収容室１７の全ての開口部を含む略長方形の領域である。
【００１９】
図１１に示すように、一括ゴム栓３０には、シールタワー部１２と対応する円形の貫通孔３１が形成されている。図３に示すように、貫通孔３１には、シールタワー部１２における前端側領域が貫通している。貫通孔３１の内周とシールタワー部１２の外周とは液密状に密着する。これにより、貫通孔３１とシールタワー部１２との隙間を通ってハウジング１０内に液体が浸入するのを規制している。また、シールタワー部１２と貫通孔３１の嵌合により、一括ゴム栓３０が、ハウジング１０に対して上下方向及び左右方向（いずれも、貫通孔３１に対するシールタワー部１２の貫通方向と交差する方向）へ位置ずれするのを抑制している。
【００２０】
また、図１１に示すように、一括ゴム栓３０には、全ての第２端子収容室１７と対応するように２３室の円形のシール孔３２が、前後に貫通して形成されている。図３，４に示すように、第２端子収容室１７の後方へ導出された第２電線２０は、夫々、シール孔３２を貫通して一括ゴム栓３０の後方へ導出されている。したがって、シール孔３２の内周と第２電線２０の外周とは液密状に密着する。これにより、シール孔３２と第２電線２０との隙間を通ってハウジング１０内に液体が浸入するのを規制している。
【００２１】
さらに、図１１に示すように、一括ゴム栓３０には、３つのロックタワー部２１と対応する３つの連通孔３３が、前後に貫通して形成されている。連通孔３３の開口形状は、ロックタワー部２１と同じく非円形である。連通孔３３にはロックタワー部２１の基部２２が貫通している。基部２２の外周と連通孔３３の内周は液密状に密着している。これにより、連通孔３３と基部２２の隙間を通ってハウジング１０内に液体が浸入するのを規制している。
【００２２】
一括ゴム栓３０の外周には、周方向に延びるシール部３４が、全周に亘って連続して形成されている。シール部３４は、一括ゴム栓３０の外周面からリブ状に突出する複数（本実施例では３つ）のリップ部３５によって構成されている。リップ部３５は、一括ゴム栓３０の全周に亘って連続している。尚、シール部３４を構成するリップ部３５の数は、２つ以下でもよく、４つ以上でもよい。
【００２３】
リヤホルダ４０は、合成樹脂製であり、後壁部４１と、後壁部４１の外周縁から前方へ片持ち状に延出した形態の周壁部４２とを一体に形成して構成されている。リヤホルダ４０は、ハウジング１０に対し後方から接近させるようにして組み付けられている。組み付けられた状態では、後壁部４１の前面が一括ゴム栓３０の後面に対して当接又は接近して対向し、一括ゴム栓３０がハウジング１０の後面１０Ｒと後壁部４１との間で前後に挟まれる。これにより、一括ゴム栓３０がハウジング１０に対して組み付けられた状態に保持される。また、周壁部４２は、ハウジング１０の外周面と一括ゴム栓３０の外周面を非接触状態で包囲する。図３〜５に示すように、周壁部４２の内周面とハウジング１０及び一括ゴム栓３０の外周面との間の空間は、前方へ開放された嵌合空間４９となっている。嵌合空間４９には、雄形の相手側コネクタＭとフード部５０が嵌入されるようになっている。
【００２４】
後壁部４１には、シールタワー部１２と対応する円形の位置決め孔４３が、前後に貫通して形成されている。位置決め孔４３にはシールタワー部１２の後端側部分が嵌合されている。これにより、リヤホルダ４０がハウジング１０に対して上下方向及び左右方向（つまり、ハウジング１０に対するリヤホルダ４０の組み付け方向と交差する方向）に位置決めされる。同じく後壁部４１には、各シール孔３２と個別に対応するように位置する２３個の挿通孔４４が、前後に貫通して形成されている。挿通孔４４には、後方から第２端子金具１８と第２電線２０が挿通されるようになっている。
【００２５】
さらに、後壁部４１には、連通孔３３と対応する３つの逃がし凹部４５が、前後に貫通して形成されている。各逃がし凹部４５には、その内壁面間を上下に橋渡しした形態の弾性撓み可能な受け部４６が形成されている。受け部４６は、左右方向へ弾性撓み部し得るようになっている。各逃がし凹部４５内には、対応するロックタワー部２１の係止部２３が収容され、係止部２３が係止凹部２４に嵌合している。
【００２６】
リヤホルダ４０をハウジング１０に組み付ける過程では、受け部４６が係止部２３の先端部と干渉して左右方向へ退避するように弾性撓みする。そして、リヤホルダ４０がハウジング１０に対して正規の組み付け状態になると、弾性復帰した受け部４６が、係止凹部２４に対し前後方向への相対変位を規制された状態に係止される。この係止作用により、ハウジング１０とリヤホルダ４０は、前後方向に離間することを規制された状態にロックされる。
【００２７】
本実施例の雌側コネクタＦは、ハウジング１０の後面１０Ｒから後方へ突出して一括ゴム栓３０を貫通し、突出端部に係止部２３が形成されたロックタワー部２１と、一括ゴム栓３０を後方から覆うように配されたリヤホルダ４０と、リヤホルダ４０に形成され、係止部２３と係止することでリヤホルダ４０をハウジング１０に対し組付け状態にロックする受け部４６と、一括ゴム栓３０の外周に形成され、相手側コネクタＭのフード部５０の内周に液密状に密着可能なシール部３４とを備えている。
【００２８】
この雌側コネクタＦによれば、一括ゴム栓３０を貫通するロックタワー部２１の係止部２３とリヤホルダ４０の受け部４６との係止作用により、リヤホルダ４０とハウジング１０が組付け状態にロックされる。これにより、一括ゴム栓３０の外周を包囲することなく、一括ゴム栓３０をハウジング１０に取り付けた状態に保持できるので、一括ゴム栓３０の外周に、相手側コネクタＭとの嵌合部分をシールする手段としてのシール部３４を設けることが実現できた。したがって、本実施例の雌側コネクタＦによれば、部品点数を削減できる。
【００２９】
また、本実施例の雌側コネクタＦは、一括ゴム栓３０に、ロックタワー部２１を液密状に貫通させる連通孔３３が形成されている。これにより、ロックタワー部２１は、一括ゴム栓３０を位置決めする機能を発揮する。したがって、ロックタワー部２１とは別の専用の位置決め手段を設ける場合に比べると、ハウジング１０の形状を簡素化することができる。また、連通孔３３は、一括ゴム栓３０の後方からロックタワー部２１の貫通経路を通過してハウジング１０の後面１０Ｒに至る浸水経路をシールする機能を発揮する。
【００３０】
また、本実施例の雌側コネクタＦは、リヤホルダ４０に、シールタワー部１２を嵌合させる位置決め孔４３が形成されている。この構成によれば、リヤホルダ４０の位置決め孔４３をシールタワー部１２に嵌合すると、リヤホルダ４０がハウジング１０に対し位置決めされる。シールタワー部１２は、リヤホルダ４０を位置決めする機能を兼ね備えているので、シールタワー部１２とは別に専用の位置決め手段を設ける場合に比べると、ハウジング１０の形状を簡素化できる。
【００３１】
＜他の実施例＞
本発明は上記記述及び図面によって説明した実施例に限定されるものではなく、例えば次のような実施例も本発明の技術的範囲に含まれる。
（１）上記実施例では、第１端子収容室の数を１室としたが、第１端子収容室の数は、２室以上であってもよい。
（２）上記実施例では、第２端子収容室の数を２３室としたが、第２端子収容室の数は、２２室以下でも、２４室以上でもよい。
（３）上記実施例では、第１端子収容室と複数の第２端子収容室を非対称な配置としたが、第１端子収容室と複数の第２端子収容室は、第２端子収容室の整列方向（上下方向又は左右方向）と平行な仮想軸線に関して対称に配置されていてもよい。
（４）上記実施例では、シールタワー部がリヤホルダを位置決めする機能を兼ね備えるようにしたが、シールタワー部とは別に、リヤホルダを位置決めするための専用の位置決め手段を設けてもよい。
【符号の説明】
【００３２】
Ｆ…雌側コネクタ（コネクタ）
Ｍ…相手側コネクタ
１０…ハウジング
１０Ｒ…ハウジングの後面
１１…第１端子収容室
１２…シールタワー部
１３…第１端子金具
１５…第１電線
１６…個別ゴム栓
１７…第２端子収容室
１８…第２端子金具
２０…第２電線
２１…ロックタワー部
２３…係止部
３０…一括ゴム栓
３１…貫通孔
３２…シール孔
３３…連通孔
３４…シール部
４０…リヤホルダ
４３…位置決め孔
４６…受け部
【図１】
0006024611.tif 000002
【図２】
0006024611.tif 000003
【図３】
0006024611.tif 000004
【図４】
0006024611.tif 000005
【図５】
0006024611.tif 000006
【図６】
0006024611.tif 000007
【図７】
0006024611.tif 000008
【図８】
0006024611.tif 000009
【図９】
0006024611.tif 000010
【図１０】
0006024611.tif 000011
【図１１】
0006024611.tif 000012